(57)【要約】【課題】２つのカメラ部を備え、フラッシュライトの切り替えにも考慮した携帯電子機器を提供することを課題とする。【解決手段】カメラ部１１ａ、１１ｂを切り替えると自動的にモバイルライト１２ａ、１２ｂを切り替える。カメラ部１１ｂで撮影する際はモバイルライト１２ｂがフラッシュ機能を果たし、カメラ部１１ｂからカメラ部１１ａに切り替えて撮影する際はモバイルライト１２ａがフラッシュ機能を果たす。またカメラ部１１ａ及び１１ｂの両方によって撮影する際には、モバイルライト１２ａ及び１２ｂの両方画フラッシュ機能を果たす。【選択図】      図１
2004165943.tif 000002
【特許請求の範囲】
【請求項１】
画像を撮影する第１のカメラ手段と、
前記第１のカメラ手段とは異なる側に設けられ、画像を撮影する第２のカメラ手段と、
前記第１のカメラ手段による撮影時に撮影対象を照らす第１のライトと、
前記第２のカメラ手段による撮影時に撮影対象を照らす第２のライトと、
前記第１のカメラ手段と前記第２のカメラ手段の少なくとも一方を選択するカメラ選択手段と、
前記カメラ選択手段の選択に基づいて、前記第１のライトと第２のライトの少なくとも一方を選択するライト選択手段と、
前記カメラ選択手段によって選択された、前記第１のカメラ手段若しくは前記第２のカメラ手段の少なくとも一方と、前記ライト選択手段によって選択された、前記第１のライト若しくは前記第２のライトの少なくとも一方を用いて撮影を行う撮影制御手段と
を備えることを特徴とする携帯電子機器。
【請求項２】
前記撮影制御手段は、前記ライト選択手段によって選択された、前記第１のライト又は前記第２のライトの少なくとも一方を、前記カメラ選択手段によって選択された、前記第１のカメラ手段若しくは前記第２のカメラ手段によって撮影を行う前から点灯させることを特徴とする請求項１に記載の携帯電子機器。
【請求項３】
前記撮影制御手段は、前記ライト選択手段によって選択された、前記第１のライト又は前記第２のライトの少なくとも一方を、前記カメラ選択手段によって選択された、前記第１のカメラ手段若しくは前記第２のカメラ手段による撮影と連動して点灯させることを特徴とする請求項１に記載の携帯電子機器。
【請求項４】
前記カメラ選択手段は選択の仕方として、前記第１のカメラ手段のみの選択、前記第２のカメラ手段のみの選択、前記第１のカメラ及び前記第２のカメラの両方の選択、を有することを特徴とする請求項１乃至３の何れか１つに記載の携帯電子機器。
【請求項５】
前記ライト選択手段は、前記カメラ選択手段が前記第１のカメラ手段のみを選択したとき前記第１のライトを選択し、前記第２のカメラ手段のみを選択したとき前記第２のライトを選択し、前記第１のカメラ及び前記第２のカメラの両方を選択したとき前記第１のライト及び前記第２のライトの両方を選択することを特徴とする請求項１乃至４のいずれか１つに記載の携帯電子機器。
【請求項６】
前記撮影制御手段は、使用者の指示に基づいて、前記ライト選択手段によって選択された、前記第１のライト又は前記第２のライトの少なくとも一方を、前記カメラ選択手段によって選択された、前記第１のカメラ手段若しくは前記第２のカメラ手段による撮影と連動して点灯させるモードと、該撮影と連動して点灯させるモードを切り替えることを特徴とする請求項１乃至５の何れか１つに記載の記載の携帯電子機器。
【請求項７】
前記カメラ選択手段によって選択された前記第１のカメラ手段と前記第２のカメラ手段からの画像を表示する表示手段を更に備えることを特徴とする請求項１乃至６の何れか１つに記載の携帯電子機器。
【請求項８】
前記第１のカメラ手段は、前記表示手段と同じ側に設けられ、前記第１のライトは前記第２のライトより照度が小さいことを特徴とする請求項７に記載の携帯電子機器。
【請求項９】
前記携帯電子機器は、携帯電話であることを特徴とする請求項１乃至８の何れか１つに記載の携帯電子機器。
【請求項１０】
画像を撮影する第１のカメラ手段と、前記第１のカメラ手段とは異なる側に設けられ、画像を撮影する第２のカメラ手段を備えた携帯電子機器における撮影方法であって、
前記第１のカメラ手段と前記第２のカメラ手段の少なくとも一方を選択し、
前記第１のカメラ手段のみを選択したとき該第１のカメラ手段と同じ側に設けられた第１のライトを選択し、前記第２のカメラ手段のみを選択したとき該第２のカメラ手段と同じ側に設けられた第２のライトを選択し、前記第１のカメラ及び前記第２のカメラの両方を選択したとき前記第１のライト及び前記第２のライトの両方を選択し、
前記選択された、前記第１のカメラ手段若しくは前記第２のカメラ手段の少なくとも一方と、前記選択された前記第１のライト若しくは前記第２のライトの少なくとも一方を用いて撮影を行う
ことを特徴とする撮影方法。
【発明の詳細な説明】
【０００１】
【発明の属する技術分野】
本発明は、２つの撮影装置を備えた携帯電子機器に関し、更に詳しくは２つの携帯機器に備えられた撮影装置と共に用いられるフラッシュライトについての技術に関する。
【０００２】
【従来の技術】
近年、携帯電話やＰＤＡ等の携帯電子機器では、撮影を備え、撮影画像を加工処理したり、通信により送信したりする機能を備えているものがある。そしてこの撮影機能を備えた携帯電子機器には２つの撮影装置を備え、これらを切り替えて使うツインカメラの構成のものがある。
【０００３】
【特許文献１】
特開平１０−１５５１４１号公報「情報端末装置」
上記特許文献には、標準装備のカメラヘッドの他に、セカンドカメラをオプションで取り付けられ、２つのカメラによる映像を切り替えて、或いは２つのカメラからの映像を合成して撮影する構成が示されている。
【０００４】
【特許文献２】
特開２００２−１７６４７８号公報「撮影機能付電子機器」
上記特許文献には、正面カメラと背面カメラの２つのカメラを備え、正面カメラで使用者の顔画像を撮影すると共に、背面カメラで周辺の風景画像を撮影することが出来、またこれらの画像の一方或いは双方を、送信したり表示したりすることが出来る構成が示されている。
【０００５】
【発明が解決しようとする課題】
このようなツインカメラ構成の携帯電子機器では、２つのカメラを切り替える為の各種構成については考慮され、様々な記載がされているが、このカメラによって撮像するの為のフラッシュライトについては、何ら考慮されていない。
【０００６】
本発明は、上記問題点を解決した携帯電子機器を提供することを課題とする。
【０００７】
【課題を解決するための手段】
上記問題点を解決する為、本発明による携帯電子機器は、第１のカメラ手段、第２のカメラ手段、第２のライト、ライト選択手段及び撮影制御手段を備える。この携帯電子機器は、例えば携帯電話、ＰＨＳ、ＰＤＡ等である。
【０００８】
第１のカメラ手段は、画像を撮影する。
上記第１のカメラ手段とは異なる側に設けられ、画像を撮影する。
第１のライトは、第１のカメラ手段による撮影時に撮影対象を照らす。
【０００９】
第２のライトは、上記第２のカメラ手段による撮影時に撮影対象を照らす
カメラ選択手段は、上記第１のカメラ手段と上記第２のカメラ手段の少なくとも一方を選択する。
【００１０】
ライト選択手段は、上記カメラ選択手段の選択に基づいて、上記第１のライトと第２のライトの少なくとも一方を選択する。
撮影制御手段は、上記カメラ選択手段によって選択された、上記第１のカメラ手段若しくは上記第２のカメラ手段の少なくとも一方と、上記ライト選択手段によって選択された、上記第１のライト若しくは上記第２のライトの少なくとも一方を用いて撮影を行う。
【００１１】
上記ライト選択手段は、例えば、上記カメラ選択手段が上記第１のカメラ手段のみを選択したとき上記第１のライトを選択し、上記第２のカメラ手段のみを選択したとき上記第２のライトを選択し、上記第１のカメラ及び上記第２のカメラの両方を選択したとき上記第１のライト及び上記第２のライトの両方を選択する。
【００１２】
上記撮影制御手段は、使用者の指示に基づいて、上記ライト選択手段によって選択された、上記第１のライト又は上記第２のライトの少なくとも一方を、上記カメラ選択手段によって選択された、上記第１のカメラ手段若しくは上記第２のカメラ手段による撮影と連動して点灯させるモードと、該撮影と連動して点灯させるモードを切り替える構成としてもよい。
【００１３】
また本発明は、携帯電子機器による撮影方法もその範囲に含む。
本発明に拠れば、ライト選択手段がカメラ選択手段による選択に基づいて、第１のライト若しくは第２のライトの少なくとも一方を選択するので、ライト選択手段によって選択された第１のカメラ手段若しくは第２のカメラ手段が切り替わると自動的に第１ライト若しくは第２のライトに切り替わる。
【００１４】
【発明の実施の形態】
以下に本発明の一実施形態について図面を参照しながら説明する。
以下の例では、本発明を適用した携帯電子機器の一例として、携帯電話を例に挙げて説明しているが、本発明が適用される携帯電子機器は、携帯電話のみに限定されるものではなく、ツインカメラ構成を備えた携帯電子機器であればＰＨＳやＰＤＡ等他のものであっても良い。
【００１５】
図１は、本実施形態におけるツインカメラ機能を備えた携帯電話の外観図である。
同図（ａ）は携帯電話１を表示部１３がある表側（以下自分撮影側という）から、同図（ｂ）はその裏側（以下相手撮影側という）から示したものである。
【００１６】
同図において携帯電話１には、２つのカメラ部１１ａ，１１ｂ、各カメラ部１１に対して設けられたモバイルライト１２ａ，１２ｂ、表示部１３、ボタン入力部１４、音声データや撮影した画像データ等を無線伝送するための送受信アンテナ１５、及び使用者の音声データを取り込んだり、受信した音声データを出力する、不図示のマイクとスピーカを備えている。
【００１７】
このうちカメラ部１１ａは、表示部１３と同じ自分撮影側に設けられた撮影用のカメラ（以下自分撮影側カメラという）、モバイルライト１２ａはカメラ部１１ａ用に撮影対象を照らす光源で、これらは、携帯電話１の使用者側を写すのに用いられる。またカメラ部１１ｂは、カメラ部１１ａの裏側の相手撮影側に設けられた撮影用のカメラ（以下相手撮影側カメラという）、モバイルライト１２ｂはカメラ部１１ｂ用に撮影対象を照らす光源で、これらは携帯電話１の使用者と反対側の撮影対象を撮影するのに用いられる。またこれらのカメラ部１１ａ，１１ｂによって撮影する際、表示部１３には起動されたカメラ部１１ａやカメラ部１１ｂによる撮像画像が表示され、使用者はこの表示画像を見ながら撮影を行う。
【００１８】
ボタン入力部１４には、１〜９、０等の電話番号入力用のボタン等携帯電話の電話機能のために設けられた入力ボタンの他に、カメラ部１１ａ、１１ｂによる撮影を行う為の入力ボタンとして、カメラボタン、サブメニューボタン、決定ボタン、ライトボタン、シャッターボタン、保存ボタン、終了ボタン、ＵＰボタン及びＤＯＷＮボタンが設けられている。尚上記ボタンは、それぞれボタン入力部１４内の１つのボタンとして構成しても、１つのボタンが複数の機能を兼ねるように構成してもよい。
【００１９】
使用者は、これらの入力ボタンを操作して、２つのカメラ部１１ａ，１１ｂを使い分けて撮影を行う。尚この点については後述する。
図２は、携帯電話１の内部構成を示すブロック図である。同図はカメラ部１１ａ、１１ｂによる撮影処理を司る部分のみの概略構成を示すもので、電話機能を実現する構成等他の機能に関する部分は示されていない。
【００２０】
同図において、携帯電話１は、内部にアプリＣＰＵ２１、カメラ部２２ａ，２２ｂ、モバイルライト２３ａ，２３ｂ、ＤＳＰ２４ａ，２４ｂ、表示部２５、ＲＯＭ２６、フラッシュメモリ２７、ＲＡＭ２８、通信ＢＢ２９を備えている。
【００２１】
これらの内、カメラ部２２ａ，２２ｂは、図１のカメラ部１１ａ，１１ｂに、モバイルライト２４ａ，２４ｂはモバイルライト１２ａ，１２ｂに、表示部２５は表示部１３に対応している。
【００２２】
カメラ部２２ａ，２２ｂは、撮影用のカメラで、カメラ部２２ａは使用者が自己の方向に向けて撮影を行う際に用いる。またカメラ部２２ｂは使用者が、表示部１３を見ながら、自己以外の方向に向けて撮影を行う際に用いる。そのため、これらカメラ部２２ａ，２２ｂは、想定される使用状況や撮影対象が異なるので、焦点距離や画角等の設定がそれぞれ異なった構成を持つ。例えば、カメラ部２２ａは、使用者が自分のみや自分を含む数人を写す為のものなので、焦点距離は数十ｃｍ程度で合うように設定され、また画角を大きくしたり、画像の周辺部のひずみを防ぐ為レンズの枚数を増やしたりする。逆にカメラ部２２ｂは、数ｍ離れた被写体や風景等を撮影の為への使用が想定されるので、カメラ部２２ａより大きな焦点距離が設定され、逆に画角は小さく設定される。
【００２３】
カメラ部２２ａによって撮像された画像はＤＳＰ２４ａによって、またカメラ部２２ｂによって撮像された画像はＤＳＰ２４ｂによってデジタル画像データに変換され、アプリＣＰＵ２１に出力される。ＤＳＰ２４ａ，２４ｂは、画像処理用のデジタルシグナルプロセッサ（Ｄｉｇｉｔａｌ  Ｓｉｇｎａｌ  Ｐｒｏｃｅｓｓｏｒ）で、カメラ部２２ａ，２２ｂによって撮像された画像に対し、コントラスト調整等種々の画像処理を施した後、画像データを圧縮してアプリＣＰＵ２１に出力する。
【００２４】
アプリＣＰＵ２１は、ＲＯＭ２６内のプログラムやデータに基づいて携帯電話１全体の処理の制御を行うもので、ボタン入力部１４からの使用者による入力指示に従って、後述するカメラ部２２ａ，２２ｂの切り替え、起動や停止、モバイルライト２３ａ，２３ｂのカメラ部２２の切り替えに連動した切り替えや発光の仕方の切り替え等の処理を行ったり、ＤＳＰ２４ａ，２４ｂからの画像データを、フラッシュメモリ２７に保存したり、通信ＢＢ２９を用いて通信ネットワークに送信したりする。
【００２５】
モバイルライト２３ａ，２３ｂは、高輝度ＬＥＤ等によって構成された発光体で、照度が足りない場合に被写体を照らすフラッシュとしての機能を果たす。また、複数色のライティングから好きな色を撮影時に選択し、画像にフィルター効果を付けることが出来る構成としてもよい。
【００２６】
モバイルライト２３ａは、カメラ部２２ａによって撮影する場合に用いられ、モバイルライト２３ｂは、カメラ部２２ｂによって撮影する場合に用いられる。従ってモバイルライト２３ａ，２３ｂは、それぞれ対応するカメラ部２２に適した構成のものが用いられる。例えばカメラ部２２ｂは至近距離での撮影に用いられることを想定しているので、モバイルライト２３ｂは、モバイルライト２３ａより照度の低いのものが用いられる。このモバイルライト２３ａ，２３ｂは、撮影を行うカメラ部２２ａ，２２ｂを切り替えると同時にモバイルライト２３ａ，２３ｂも切り替わる。
【００２７】
表示部２５は、ＬＣＤ等によって構成され、カメラ部２２によって撮影された画像や、選択メニュー、種々の情報が表示される。ＲＯＭ２６は、アプリＣＰＵ２１で実行されるプログラムを記憶するもので、またＲＡＭ２８は、アプリＣＰＵ２１のワークメモリとなる。通信ＢＢ２９は、無線通信を行う無線機で、基地局を介して他の携帯電話１等の通信端末とデータのやり取りを行う。
【００２８】
またモバイルライト２３ａ，２３ｂは発光の仕方として、撮影時に、カメラ部２２ａ，２２ｂのシャッターと連動して光らせる連動発光モードと、シャッターを切る前から点灯させて被写体を照らす連続発光モードとがあり、使用者は撮影状況や撮影対象、利用の仕方によりこれらを切り替えることが出来る。
【００２９】
次に相手撮影側のカメラ（カメラ部１１ｂ）によって撮影した場合の携帯電話１の動作例を説明する。
カメラ部１１ｂは、使用者が表示部１３に評されている画像を見ながら、数ｍ離れた被写体や風景等を撮影する、一般的なカメラと同じような使い方を想定したものである。
【００３０】
図３は、相手撮影側のカメラ（カメラ部１１ｂ）によって撮影する場合の携帯電話１の第１の動作処理例を示すフローチャートである。
使用者が、携帯電話１による撮影を行おうと思い、ボタン入力部１４のカメラボタンを押下すると（ステップＳ１）、携帯電話１は２つのカメラ部のうち初期設定としてデフォルトで起動するカメラ部１１ｂを起動させ、表示部１３にカメラ部１１ｂによって写されているアクティブな画像（スルー画像）を表示させる。
【００３１】
次に使用者が、ボタン入力部１４のサブメニューボタンを押下して操作すると（ステップＳ２）、携帯電話１は表示部１３にモバイルライト１２の発光モードを選択するメニュー３１ａを表示させる。そして使用者が、ボタン入力部１４のＵＰボタン／ＤＯＷＮボタンを操作して連続発光モードか連動発光モードかを選択し、決定ボタンを押下すると（ステップＳ３）、携帯電話１は対応する発光モードに対する動作設定を行う。同図の例では使用者は連続発光モードを選択したとする。
【００３２】
次に使用者が、ライトボタンを押下すると（ステップＳ４）、連続発光モードが選択されているので、携帯電話１はモバイルライト１２ｂを点灯する。
この状態において、使用者が表示部１３に表示されているスルー画像を見ながら携帯電話１の位置や向きを動かし、表示部１３上に撮影したい画像が表示されると、ボタン入力部１４のシャッターボタンを押下したとする（ステップＳ５）。これに対して携帯電話１は、カメラ部１１ｂによって撮影を行い、その後カメラ部１１ｂを停止し、またモバイルライト１２ｂも消灯する。また表示部１３には、この時撮影された画像を静止画として表示させる。
【００３３】
使用者が、この撮影画像を保存する為に保存ボタンを押下すると（ステップＳ６）、携帯電話１は撮影画像のデータをフラッシュメモリ２７内に記録すると共に次の撮影が行えるようカメラ部１１ｂを起動して表示部１３にはスルー画像を表示させ、またモバイルライト１２ｂを点灯する。
【００３４】
この状態で、使用者が撮影を止める為にボタン入力部１４の終了ボタンを押下すると（ステップＳ７）、携帯電話１はカメラ部１１ｂを停止させ、またモバイルライト１２ｂも消灯する。
【００３５】
図４は、相手撮影側のカメラ（カメラ部１１ｂ）によって撮影する場合の携帯電話１の第２の動作処理例を示すフローチャートである。同図は、モバイルライト１２の点灯の仕方として連動モードを選択した場合の携帯電話１の動作例を示している。
【００３６】
同図において、使用者が、携帯電話１による撮影を行おうと思い、ボタン入力部１４のカメラボタンを押下すると（ステップＳ１１）、携帯電話１は、２つのカメラ部のうちデフォルトのカメラ部１１ｂを起動し、表示部１３にはカメラ部１１ｂによって写されているスルー画像を表示させる。
【００３７】
次に使用者が、ボタン入力部１４のサブメニューボタンを押下して操作すると（ステップＳ１２）、携帯電話１は表示部１３にモバイルライト１２の発光モードを選択するメニュー３１ｂを表示させる。そして使用者がボタン入力部１４のＵＰボタン／ＤＯＷＮボタンを操作して連続発光モードか連動発光モードかを選択し、決定ボタンを押下すると（ステップＳ１３）、携帯電話１は選択された発光モードに動作設定する。本例では連動モードを選択したものとする。
【００３８】
この状態において、使用者が表示部１３に表示されているスルー画像を見ながら携帯電話１の位置や向きを動かし、表示部１３上に撮影したい画像が表示されると、ボタン入力部１４のシャッターボタンを押下したとする（ステップＳ１４）。このシャッターボタンの押下に連動して携帯電話１は、モバイルライト１２ｂを一瞬発光して被写体を照らすと共に、カメラ部１１ｂによって撮影を行い、その後カメラ部１１ｂを停止する。また表示部１３には、この時撮影された画像を静止画として表示する。
【００３９】
使用者が、この撮影画像を保存する為に保存ボタンを押下すると（ステップＳ１５）、携帯電話１は、撮影画像のデータをフラッシュメモリ２７内に記録すると共に次の撮影のためにカメラ部１１ｂが起動して表示部１３にはスルー画像を表示する。
【００４０】
この状態で、使用者が撮影を止める為にボタン入力部１４の終了ボタンを押下すると（ステップＳ１６）、携帯電話１はカメラ部１１ｂを停止する。
次に自分撮影側のカメラ（カメラ部１１ａ）によって撮影した場合の携帯電話１の動作例を説明する。
【００４１】
カメラ部１１ａは、表示部１３と同じ側に設けられており、主に使用者が自分を含む画像を撮影する際に用いられる。よって、カメラ部１１ａと使用者の距離は最大でも使用者が手を伸ばして撮影する、５０〜６０ｃｍ程度を前提としている。また撮影行う際、起動しているカメラ部１１をカメラ部１１ｂからカメラ部１１ａに切り替えると、それに連動してモバイルライト１２もモバイルライト１２ｂからモバイルライト１２ａに切り替える。このモバイルライト１２ａは、被写体が最大でも５０〜６０ｃｍ程度離れていることを前提としているので、上記程度の距離の被写体を照らすのに適した照度を持つ。
【００４２】
図５は、カメラ部１１ａによって撮影する場合の携帯電話１の第１の動作処理例を示すフローチャートである。
使用者が、携帯電話１による撮影を行う為、ボタン入力部１４のカメラボタンを押下すると（ステップＳ２１）、携帯電話１は、デフォルトのカメラ部１１ｂを起動し、表示部１３にはカメラ部１１ｂによって写されているスルー画像を表示する。
【００４３】
次に使用者が、サブメニューボタンを押下して操作すると（ステップＳ２２）、携帯電話１は表示部１３にモバイルライト１２の発光モードを選択するメニュー３１ｃを表示させ、使用者がボタン入力部１４のＵＰボタン／ＤＯＷＮボタンを操作して表示部１３の画面上から連続発光モードか連動発光モードかを選択し、決定ボタンを押下すると（ステップＳ２３）、携帯電話１は選択された発光モードの動作設定を行う。同図の例では使用者は連続発光モードを選択したとする。
【００４４】
次に使用者が、ライトボタンを押下すると（ステップＳ２４）、連続発光モードが選択されているので、携帯電話１はモバイルライト１２ｂを点灯する。
使用者が、カメラ部１１ａによって自分撮影側の撮影を行おうと思っているので、ボタン入力部１４のカメラ切り替えボタンを押下する（ステップＳ２５）。これにより携帯電話１は、カメラ部１１ｂを停止し、代わりにカメラ部１１ａを起動させる。そして表示部１３には、カメラ部１１ａによって写されているスルー画像を表示させる。またこのカメラ切り替えボタンの押下により、携帯電話１はカメラ部１１の切り替えに連動してモバイルライト１２ｂを消灯し、代わりにモバイルライト１２ａを点灯する。
【００４５】
この状態において、使用者が表示部１３に表示されているスルー画像を見ながら携帯電話１の位置や向きを動かし、表示部１３上に撮影したい画像が表示されると、ボタン入力部１４のシャッターボタンを押下したとする（ステップＳ２６）。これにより携帯電話１はカメラ部１１ａによって撮影を行うと共に、その後カメラ部１１ａを停止させ、またモバイルライト１２ａを消灯する。また表示部１３には、この時撮影された画像を静止画として表示させる。
【００４６】
使用者が、この撮影画像を保存する為、保存ボタンを押下すると（ステップＳ２６）、携帯電話１は、撮影画像のデータをフラッシュメモリ２７内に記録する共に次の撮影の為にカメラ部１１ａを起動し、表示部１３にはスルー画像を表示し、またモバイルライト１２ａが点灯する。
【００４７】
この状態で、使用者が撮影を止める為にボタン入力部１４の終了ボタンを押下すると（ステップＳ２７）、携帯電話１はカメラ部１１ａを停止させ、またモバイルライト１２ａを消灯させる。
【００４８】
図６は、カメラ部１１ａによって自分撮影側の撮影を行う場合の携帯電話１の第２の動作処理例を示すフローチャートである。第２の動作処理例は、モバイルライト１２ｂの点灯の仕方として連動モードを選択した場合の携帯電話１の動作例を示している。
【００４９】
使用者が、携帯電話１による撮影を行う為にボタン入力部１４のカメラボタンを押下すると（ステップＳ３１）、携帯電話１はデフォルトのカメラ部１１ｂを起動させ、表示部１３にはカメラ部１１ｂによって写されているスルー画像を表示させる。
【００５０】
次に使用者が、サブメニューボタンを押下して操作すると（ステップＳ３２）、携帯電話１は表示部１３にモバイルライト１２の発光モードを選択するメニュー３１ｄを表示させ、使用者がＵＰボタン／ＤＯＷＮボタンを操作してこのメニュー３１ｄ上で連続発光モードか連動発光モードかを選択した後、決定ボタンを押下すると（ステップＳ３３）、携帯電話１は選択された発光モードに動作設定を行う。同図の例では使用者は、連続発光モードを選択している。
【００５１】
次に使用者が、自分撮影側のカメラ部１１ａによって撮影するためカメラ切り替えボタンを押下する（ステップＳ３４）と、携帯電話１は、カメラ部１１ｂを停止し、カメラ部１１ａを起動させる。また携帯電話１は、表示部１３にカメラ部１１ａによって写されているスルー画像が表示させる。
【００５２】
この状態において、使用者が表示部１３に表示されているスルー画像を見ながら携帯電話１の位置や向きを動かし、表示部１３上に撮影したい画像が表示されるとシャッターボタンを押下したとする（ステップＳ３４）。このシャッターボタンの押下に連動して携帯電話１は、モバイルライト１２ａを一瞬発光させ、カメラ部１１ａによって撮影を行った後、カメラ部１１ａを停止する。そして表示部１３には、この時撮影された画像を静止画として表示させる。
【００５３】
使用者が、この撮影画像を保存する為、保存ボタンを押下すると（ステップＳ３５）、携帯電話１は撮影画像のデータをフラッシュメモリ２７内に記録すると共に次の撮影の為にカメラ部１１ａが起動して表示部１３にはスルー画像を表示させる。
【００５４】
この状態で、使用者が撮影を止める為にボタン入力部１４の終了ボタンを押下すると（ステップＳ３６）、携帯電話１はカメラ部１１ａを停止させる。
次にカメラ部１１ｂで撮影した後に、カメラ部１１ａに切り替えて撮影した場合の携帯電話１の動作例を説明する。
【００５５】
図７は、このような場合の第１の動作処理例を示すフローチャートである。
同図において、使用者が携帯電話１による撮影を行う為、カメラボタンを押下すると（ステップＳ４１）、携帯電話１はデフォルトのカメラ部１１ｂが起動させ、表示部１３にはカメラ部１１ｂによって写されているスルー画像を表示させる。
【００５６】
次に使用者は、サブメニューボタンを押下して操作すると（ステップＳ４２）、携帯電話１は表示部１３に表示された発光モードを選択するメニュー３１ｅを表示させ、使用者がメニュー３１ｅ上から、ＵＰボタン／ＤＯＷＮボタンを操作して連続発光モードか連動発光モードかを選択し、決定ボタンを押下すると（ステップＳ４３）、携帯電話１は選択された発光モードに動作設定する。同図の例では使用者は連続発光モードを選択したとする。
【００５７】
次に使用者が、ライトボタンを押下すると（ステップＳ４４）、連続発光モードが選択されているので、携帯電話１はモバイルライト１２ｂを点灯する。
この状態において、使用者が表示部１３に表示されているスルー画像を見ながら携帯電話１の位置や向きを動かし、表示部１３上に撮影したい画像が表示されると、シャッターボタンを押下したとする（ステップＳ４５）。これにより携帯電話１はカメラ部１１ｂによって撮影を行い、その後カメラ部１１ｂを停止させ、またモバイルライト１２ｂも消灯する。そして携帯電話１は表示部１３には、この時撮影された画像を静止画として表示する。
【００５８】
使用者が、この時の撮影画像を保存する為、保存ボタンを押下すると（ステップＳ４６）、携帯電話１は、撮影画像のデータをフラッシュメモリ２７内に記録すると共に次の撮影のためにカメラ部１１ｂを起動して表示部１３にはスルー画像を表示させ、またモバイルライト１２ｂを点灯する。
【００５９】
次に使用者が、カメラ部１１ａを用いる為にカメラ切り替えボタンを押下したとする（ステップＳ４７）。これにより、携帯電話１はカメラ部１１ｂを停止し、代わりにカメラ部１１ａを起動させる。そしてカメラ部１１の切り替えに連動して、携帯電話１は、モバイルライト１２ｂが消灯させて代わりにモバイルライト１２ａを点灯させる。また表示部１３には、カメラ部１１ａによって写されているスルー画像を表示させる。
【００６０】
この状態において、使用者が表示部１３に表示されているスルー画像を見ながら携帯電話１の位置や向きを動かし、シャッターボタンを押下したとする（ステップＳ４８）。これにより携帯電話１は、カメラ部１１ａによって撮影を行い、その後カメラ部１１ａが停止させ、またモバイルライト１２ａも消灯させる。また表示部１３には、この時撮影された画像を静止画として表示させる。
【００６１】
使用者が、この撮影画像を保存する為、保存ボタンを押下すると（ステップＳ４９）、携帯電話１は撮影画像のデータをフラッシュメモリ２７内に記録させると共にカメラ部１１ａを起動して表示部１３にスルー画像が表示させ、またモバイルライト１２ａを点灯する。
【００６２】
この状態で、使用者が撮影を止める為に終了ボタンを押下すると（ステップＳ５０）、携帯電話１はカメラ部１１ａは停止させ、またモバイルライト１２ａも消灯させる。
【００６３】
図８は、カメラ部１１ｂで撮影した後に、カメラ部１１ａで撮影した場合の第２の動作処理例を示すフローチャートである。同図の動作処理例は、モバイルライト１２の点灯の仕方として連動モードを選択した場合の携帯電話１の動作例を示している。
【００６４】
同図において、使用者が携帯電話１による撮影を行う為、カメラボタンを押下すると（ステップＳ６１）、携帯電話１はデフォルトのカメラ部１１ｂを起動し、表示部１３にはカメラ部１１ｂによって写されているスルー画像を表示させる。
【００６５】
次に使用者が、サブメニューボタンを押下して操作すると（ステップＳ６２）、携帯電話１は表示部１３に、モバイルライト１２の発光モードを選択するメニュー３１ｆを表示させる。使用者がＵＰボタン／ＤＯＷＮボタンを操作してこのメニュー３１ｆ上から連続発光モードか連動発光モードかを選択し、決定ボタンを押下すると（ステップＳ６３）、携帯電話１は選択された発光モードに動作設定を行う。同図においては使用者によって連動発光モードが選択されたものとする。
【００６６】
この状態において、使用者が表示部１３に表示されているスルー画像を見ながら携帯電話１の位置や向きを動かし、表示部１３上に撮影したい画像が表示されると、シャッターボタンを押下したとする（ステップＳ６４）。このシャッターボタンの押下に連動して、携帯電話１は、モバイルライト１２ｂを一瞬発光させて被写体を照らすと共に、カメラ部１１ｂによって撮影を行い、その後カメラ部１１ｂを停止する。また表示部１３には、この時撮影された画像を静止画として表示させる。
【００６７】
使用者が、この撮影画像を保存する為に保存ボタンを押下すると（ステップＳ６５）、携帯電話１は撮影画像のデータをフラッシュメモリ２７内に記録すると共に次の撮影用にカメラ部１１ｂを起動して表示部１３にはスルー画像を表示させる。
【００６８】
次に使用者が、自分撮影側のカメラ部１１ａによって撮影するためカメラ切り替えボタンを押下する（ステップＳ６６）と、携帯電話１はカメラ部１１ｂを停止させ、カメラ部１１ａを起動させる。また表示部１３には、カメラ部１１ａによるスルー画像を表示させる。
【００６９】
この状態において、使用者が表示部１３に表示されているスルー画像を見ながら携帯電話１の位置や向きを動かし、シャッターボタンを押下したとする（ステップＳ６７）。このシャッターボタンの押下に連動して携帯電話１は、モバイルライト１２ａを一瞬発光して被写体を照らすと共に、カメラ部１１ａによって撮影を行い、その後カメラ部１１ａが停止させる。そして表示部１３には、この時撮影された画像を静止画として表示させる。
【００７０】
使用者が、この撮影画像を保存する為、保存ボタンを押下すると（ステップＳ６８）、携帯電話１は撮影画像のデータをフラッシュメモリ２７内に記録すると共にカメラ部１１ａを起動し、また表示部１３にはスルー画像を表示させる。
【００７１】
この状態で、使用者が撮影を止める為に終了ボタンを押下すると（ステップＳ６９）、携帯電話１はカメラ部１１ａは停止する。
次にカメラ部１１ａ，１１ｂの２つのカメラで同時に撮影した場合の携帯電話１の動作例を説明する。
【００７２】
本例は、携帯電話１の２つのカメラ部１１ａ，１１ｂで同時に撮影するものである。これにより、カメラ部１１ａにより使用者を撮影すると共に、カメラ部１１ｂによって周辺の風景等を同時に撮影する等の用い方をすることが出来る。尚このとき撮影された２つの撮影画像は、そのまま用いられる他に、合成等の加工処理を行った画像の作成の為に用いることが出来る。
【００７３】
図９は、このような場合の携帯電話１の第１の動作処理例を示すフローチャートである。
同図において、使用者が携帯電話１による撮影を行う為にカメラボタンを押下すると（ステップＳ７１）、携帯電話１はデフォルトのカメラ部１１ｂを起動させ、また表示部１３にはカメラ部１１ｂによって写されているスルー画像を表示させる。
【００７４】
次に使用者が、サブメニューボタンを押下して操作すると（ステップＳ７２）、携帯電話１は表示部１３に、モバイルライト１２の発光モードを選択するメニュー３１ｇを表示させる。使用者がＵＰボタン／ＤＯＷＮボタンを操作してメニュー３１ｇ上から連続発光モードか連動発光モードかを選択して、決定ボタンを押下すると（ステップＳ７３）、携帯電話１は、選択された発光モードの動作モードに設定する。同図においては使用者によって連続発光モードが選択されたものとする。
【００７５】
次に使用者が、ライトボタンを押下すると（ステップＳ７４）、連続発光モードが選択されているので、携帯電話１はカメラ部１１ｂに対応するモバイルライト１２ｂを点灯する。
【００７６】
次に、使用者が、カメラ部１１ａ及び１１ｂの両方で撮影するために、ボタン入力部１４のサブメニューボタンを押下して操作すると、携帯電話１はカメラの選択メニュー３２ａを表示部１３に表示させる（ステップＳ７５）。そして使用者が、ＵＰ／ＤＯＷＮボタンを操作してメニュー３２ａ上から「カメラ１１ａ＆１１ｂ」を選択した後、決定ボタンを押下したとする（ステップＳ７６）。これにより、携帯電話１は、カメラ部１１ａとカメラ部１１ｂの両方を起動状態とし、表示部１３にはカメラ部１１ａとカメラ部１１ｂによるスルー画像を画面分割して表示し、またモバイルライト１２ａ，１２ｂの両方を点灯する。
【００７７】
この状態において、使用者が表示部１３に表示されているスルー画像を見ながら携帯電話１の位置や向きを動かし、表示部１３上に撮影したい画像が表示されると、シャッターボタンを押下する（ステップＳ７７）と、携帯電話１はカメラ部１１ａ及び１１ｂの両方によって撮影を行う。そして撮影処理後携帯電話１は、カメラ部１１ａ，１１ｂを停止し、モバイルライト１２ａ，１２ｂを消灯する。また表示部１３には、画面分割した形で、この時撮影された２つの画像を静止画として表示する。
【００７８】
使用者が、この撮影画像を保存する為に保存ボタンを押下すると（ステップＳ７８）、携帯電話１は、２つのカメラ部１１ａ，１１ｂによる撮影画像のデータをフラッシュメモリ２７内に記録すると共に次の撮影のためにカメラ部１１ａ，１１ｂを起動し、表示部１３には２つのカメラ部１１によって撮影されたスルー画像を表示し、またモバイルライト１２ａ，１２ｂを点灯する。
【００７９】
この状態で、使用者が撮影を止める為に終了ボタンを押下すると（ステップＳ７９）、携帯電話１はカメラ部１１ａ及び１１ｂを停止し、またモバイルライト１２ａ，１２ｂを消灯する。
【００８０】
図１０は、携帯電話１の２つのカメラ部１１ａ，１１ｂで同時に撮影する場合の携帯電話１の第２の動作処理例を示すフローチャートである。同図の動作処理例は、モバイルライト１２ｂの点灯の仕方として連動モードを選択した場合の携帯電話１の動作例を示している。
【００８１】
同図において、使用者が携帯電話１による撮影を行う為、カメラボタンを押下すると（ステップＳ８１）、携帯電話１はデフォルトのカメラ部１１ｂを起動させ、表示部１３にはカメラ部１１ｂによって撮影されているスルー画像を表示させる。
【００８２】
次に使用者が、サブメニューボタンを押下して操作すると（ステップＳ８２）、携帯電話１は表示部１３にモバイルライト１２の発光モードを選択するメニュー３１ｈを表示させる。使用者が、ＵＰボタン／ＤＯＷＮボタンを操作してメニュー３１ｈ上から連続発光モードか連動発光モードかを選択し、決定ボタンを押下すると（ステップＳ８３）、携帯電話１は選択された発光モードに対応する動作モードに設定する。同図においては使用者によって連動発光モードが選択されたものとする。
【００８３】
次に、使用者が、カメラ部１１ａ及び１１ｂの両方で撮影するために、サブメニューボタンを押下して操作すると（ステップＳ８４）、携帯電話１はカメラの選択メニュー３２ｂを表示部１３に表示させ、使用者がＵＰ／ＤＯＷＮボタンを操作して「カメラ１１ａ＆１１ｂ」を選択した後、決定ボタンを押下すと（ステップＳ８５）、携帯電話１はカメラ部１１ａとカメラ部１１ｂの両方を起動状態とし、表示部１３にはカメラ部１１ａとカメラ部１１ｂによるスルー画像を画面分割して表示させる。
【００８４】
この状態において、使用者が表示部１３に表示されているスルー画像を見ながら携帯電話１の位置や向きを動かし、表示部１３上に撮影したい画像が表示されると、シャッターボタンを押下する（ステップＳ８６）と、これに連動して、携帯電話１は、モバイルライト１２ａ，１２ｂを一瞬発光して被写体を照らし、カメラ部１１ａ及び１１ｂの両方によって撮影を行い、その後カメラ部１１ａ，１１ｂを停止する。そして表示部１３には、画面分割して、この時撮影された２つの画像を静止画として表示させる。
【００８５】
使用者が、この撮影画像を保存する為に保存ボタンを押下すると（ステップＳ８７）、携帯電話１は２つのカメラ部１１による撮影画像のデータをフラッシュメモリ２７内に記録すると共にカメラ部１１ａ，１１ｂを起動し、表示部１３には２つのカメラ部１１によって撮影されたスルー画像を表示する。
【００８６】
この状態で、使用者が撮影を止める為に終了ボタンを押下すると（ステップＳ８８）、携帯電話１は、カメラ部１１ａ及び１１ｂを停止する。
このように、本実施形態の携帯電話１では、カメラ部１１ａのみ、カメラ部１１ｂのみ、カメラ部１１ａ及び１１ｂの両方によって撮影をする際、カメラ部１１の切り替えに連動して自動的にモバイルライト１２ａ，１２ｂが切り替わる。
【００８７】
【発明の効果】
本発明に拠れば、２つのカメラ部を有するツインカメラ方式の構成を持つ機器において、撮影を行うカメラを切り替えると、フラッシュ機能を司る２つの光源も自動的に切り替えることが出来る。
【００８８】
また、機器の使用者は、利用の仕方によって光源の発光の仕方を変更することが出来る。
【図面の簡単な説明】
【図１】本実施形態におけるツインカメラ機能を備えた携帯電話の外観図である。
【図２】本実施形態における携帯電話の内部構成のうち、撮影機能を司る部分の概略構成を示すブロック図である。
【図３】相手撮影側のカメラによって撮影する場合の携帯電話の第１の動作処理例を示すフローチャートである。
【図４】相手撮影側のカメラによって撮影する場合の携帯電話の第２の動作処理例を示すフローチャートである。
【図５】自分撮影側のカメラによって撮影する場合の携帯電話の第１の動作処理例を示すフローチャートである。
【図６】自分撮影側のカメラによって撮影する場合の携帯電話の第２の動作処理例を示すフローチャートである。
【図７】相手撮影側のカメラで撮影した後に、自分撮影側のカメラで撮影した場合の第１の動作処理例を示すフローチャートである。
【図８】相手撮影側のカメラで撮影した後に、自分撮影側のカメラで撮影した場合の第２の動作処理例を示すフローチャートである。
【図９】相手撮影側のカメラと自分撮影側のカメラで同時に撮影した場合の第１の動作処理例を示すフローチャートである。
【図１０】相手撮影側のカメラと自分撮影側のカメラで同時に撮影した場合の第２の動作処理例を示すフローチャートである。
【符号の説明】
１  携帯電話
１１ａ、２２ａ  相手撮影側のカメラ部
１１ｂ、２２ｂ  自分撮影側のカメラ部
１２ａ、２３ａ  相手撮影側のモバイルライト
１２ｂ、２３ｂ  自分撮影側のモバイルライト
１３、２５  表示部
１４  ボタン入力部
１５  送受信アンテナ
２１  アプリＣＰＵ
２４ａ，２４ｂ  ＤＳＰ
２６  ＲＯＭ
２７  フラッシュメモリ
２８  ＲＡＭ
２９  通信ＢＢ
【図１】
2004165943.tif 000003
【図２】
2004165943.tif 000004
【図３】
2004165943.tif 000005
【図４】
2004165943.tif 000006
【図５】
2004165943.tif 000007
【図６】
2004165943.tif 000008
【図７】
2004165943.tif 000009
【図８】
2004165943.tif 000010
【図９】
2004165943.tif 000011
【図１０】
2004165943.tif 000012